(57)【要約】      （修正有）【課題】家具をサーバーラックに容易に収容又は取り出し可能であるとともに、家具を容易に固定可能な収容体及びサーバーラックを提供する。【解決手段】サーバーラックに取り付けられ、折畳み可能な家具５０を収容可能な空間を有する収容体１０であって、収容物である家具５０（折畳みテーブル）の移動を規制する規制体２１を備えている。また、家具５０を支持する支持体を備え、支持体に、家具５０を前後方向に摺動可能な側枠とガイドと、家具５０の移動を規制する規制体２１と、を備えている。【選択図】図３
2018006632.tif 000002
【特許請求の範囲】
【請求項１】
サーバーラックに取り付けられ、折畳み可能な家具を収容可能な空間を有する収容体であって、
前記収容体には、前記家具の移動を規制する規制体を備えていることを特徴とする収容体。
【請求項２】
サーバーラックに取り付けられ、折畳み可能な家具を収容可能な空間を有する収容体であって、
前記収容体は、
少なくとも前記家具を支持する支持体を備え、
前記支持体は、
前記家具を前後方向に摺動可能なガイドと、
前記家具の移動を規制する規制体と、
を備えていることを特徴とする収容体。
【請求項３】
前記支持体の一部が折り曲げられて形成され、前記家具の後方への移動を規制する第２の規制体を備えていることを特徴とする請求項２に記載の収容体。
【請求項４】
前記支持体は、２つの部材の一部が重ね合されて配置されていることを特徴とする請求項２、又は請求項３に記載の収容体。
【請求項５】
前記規制体は、前記家具の一部に接触可能な基体を備え、前記基体を、前記家具と接触させ当該家具の移動を規制する第１の位置と、前記家具との接触を回避する第２の位置との間で移動可能としたことを特徴とする請求項１乃至４のいずれか一項に記載の収容体
【請求項６】
折畳み可能な家具と、
サーバーラックに取り付けられ、前記家具を摺動して収容可能な空間を有する収容体と、を備え、
前記家具又は収容体には、前記家具の移動を規制する規制体を備えていることを特徴とする収容体。
【請求項７】
折畳み可能な家具と、
前記家具を摺動して収容可能な空間を有する収容体と、を備えるサーバーラックであって、
前記家具又は収容体には、前記家具の移動を規制する規制体を備えていることを特徴とするサーバーラック。
【発明の詳細な説明】
【技術分野】
【０００１】
本発明は、家具を収容可能なサーバーラック等に関する。
【背景技術】
【０００２】
サーバーラックは、ラックフレームを有し、このラックフレームに、例えば、平坦状に形成された水平板を取り付けることによって領域が区分けされる。そして、この水平板上には、サーバーとして機能するコンピュータ等の電子機器等が載置され、サーバーラックはこのような電子機器等を収容可能である。
【０００３】
このようなサーバーラックは、室内に複数組み合わされて配置されており、サーバーラックに収容されているサーバーのメンテナンス作業では、作業者が、例えば別途適当な場所に保管されている折畳み椅子に座ってコンピュータを膝の上に置くなどして作業が行われている。
【０００４】
本件出願人は、このような問題に鑑み、平坦状な折畳み椅子を開発するとともに、その折畳み椅子をサーバーラックに収容可能な収容体を製造している（特許文献１参照）。
【０００５】
特許文献１の収容体は、折畳み椅子を収容可能な筐体を有し、この筐体の天板が引出可能となっており、天板が机として機能するとともに、折畳み椅子を収容可能となっている。
【先行技術文献】
【特許文献】
【０００６】
【特許文献１】特開２０１４−９３３２５号公報
【発明の概要】
【発明が解決しようとする課題】
【０００７】
しかしながら、上述した特許文献１に示す机では、作業スペースが少なく、もう少し作業スペースを有する机が必要であるとの要望がある。
【０００８】
また、特許文献１に示すサーバーラックは、折畳み椅子等の家具を収容できるものの、地震等によって家具がずれたり、収容場所から飛び出す可能性がある。
【０００９】
そこで、本発明は上記問題を課題の一例として為されたもので、折畳み椅子やテーブル等の家具をサーバーラックに容易に収容又は取り出し可能であるとともに、家具を容易に固定可能な収容体を提供することを目的とする。
【課題を解決するための手段】
【００１０】
上記課題を解決するために、請求項１に記載の収容体（１０）は、サーバーラック（２）に取り付けられ、折畳み可能な家具を収容可能な空間を有する収容体であって、前記収容体には、前記家具の移動を規制する規制体（２１）を備えていることを特徴とする。
【００１１】
また、請求項２に記載の収容体は、サーバーラックに取り付けられ、折畳み可能な家具を収容可能な空間を有する収容体であって、前記収容体は、少なくとも前記家具を支持する支持体（１５）を備え、前記支持体は、前記家具を前後方向に摺動可能なガイド（１５ａ、１５ｄ）と、前記家具の移動を規制する規制体と、を備えていることを特徴とする。
【００１２】
また、請求項３に記載の収容体は、請求項２に記載の収容体において、前記支持体の一部が折り曲げられて形成され、前記家具の後方への移動を規制する第２の規制体（１９）を備えていることを特徴とする。
【００１３】
また、請求項４に記載の収容体は、請求項２、又は請求項３に記載の収容体において、前記支持体は、２つの部材の一部が重ね合されて配置されていることを特徴とする。
【００１４】
また、請求項５に記載の収容体は、請求項１乃至４のいずれか一項に記載の収容体において、前記規制体は、前記家具の一部に接触可能な基体を備え、前記基体を、前記家具と接触させ当該家具の移動を規制する第１の位置と、前記家具との接触を回避する第２の位置との間で移動可能としたことを特徴とする。
【００１５】
また、請求項６に記載の収容体は、折畳み可能な家具（５０）と、サーバーラックに取り付けられ、前記家具を摺動して収容可能な空間を有する収容体と、を備え、前記家具又は収容体には、前記家具の移動を規制する規制体を備えていることを特徴とする。
【００１６】
また、請求項７に記載のサーバーラックは、折畳み可能な家具と、前記家具を摺動して収容可能な空間を有する収容体と、を備えるサーバーラックであって、前記家具又は収容体には、前記家具の移動を規制する規制体を備えていることを特徴とする。
【発明の効果】
【００１７】
本発明によれば、家具をまとまりよくサーバーラックに収納することができる。また、地震等における家具のずれや前方への飛び出しを容易に防止できる。さらに、家具を容易に取り出すことができるため、メンテナンス作業を行う際の作業者の負担を軽減することができる。
【図面の簡単な説明】
【００１８】
【図１】サーバーラックの外観例を示す模式図である。
【図２】収容体に家具が取り付けられた取付例を示す模式図である。
【図３】収容体から家具が取り出される一例を示す模式図である。
【図４】収容体の構成例を示す模式図である。
【図５】規制体の一例を示し、図５（ａ）は収納物との接触を回避する規制体の一例を示す模式図、図５（ｂ）は規制体による収納物の規制例を示す模式図である。
【図６】折畳みテーブルを展開した状態を示す模式図である。
【図７】折畳みテーブルの展開例を示し、図７（ａ）は折畳み状態の一例を示す模式図、図７（ｂ）は展開途中の一例を示す模式図、図７（ｃ）は展開状態の一例を示す模式図である。
【発明を実施するための形態】
【００１９】
以下、本願の最良の実施形態について添付図面を参照して説明する。
【００２０】
本実施形態の収容体１０は、図１に示すように、サーバーラック２内に収容される。図１及び図２に示すように、サーバーラック２は、前後左右に配設された４本の支柱５を備え、例えば、この支柱５の外部を覆うようにして、正面パネル２ａ、左右の側面パネル２ｂ、図示しない背面パネル、底板パネル２ｃ、及び天板パネル２ｄを備え、箱状に形成される。なお、正面パネル２ａ及び図示しない背面パネルは、扉として機能するものであって開閉可能に取り付けられており、この扉の開閉によってサーバーラック２の内部に収容される電子機器等のメンテナンスを行うことが可能である。
【００２１】
図１及び図２に示すように、支柱５には、上下方向に複数の孔部５ａが等間隔で形成されており、この孔部５ａを用いて収容体１０がネジ等の固定具１１によって各支柱５に高さ調整可能に装着される。なお、固定具１１の係止位置を別の孔部５ａに変更することで、収容体１０の装着位置を変更可能である。
【００２２】
この収容体１０は、一例として、１９インチサーバーラックの三区画（３Ｕ）に収まる開口高さを有する。なお、この一区画の大きさは、ＥＩＡによって規格化された幅１９インチ、高さ１．７５インチの領域を言うものである。
【００２３】
収容体１０は、平坦状に折畳み可能な椅子やテーブル等の家具（以下、「収容物５０」と称する。）を収容可能な空間を有し、図２及び図３に示すように、サーバーラック２の正面側の開口７を介して収容物５０を挿入可能であるととともに、前方へと引き出すことによって外部へと取り出すことが可能になっている。
【００２４】
図４に示すように、収容体１０は、一例として、収容物５０の左右を保持可能な左右一対の側枠１５（本願の支持体）を備え、この側枠１５によって収容物５０を収容可能な空間を形成する。各側枠１５は、３Ｕの高さを有する側壁１５ａと、側壁１５ａの上下端部が折り曲げられて形成される天壁１５ｂ及び底壁１５ｃと、を有する断面が略コ字型形状に形成され、図２及び図３に示すように、左右それぞれの前後支柱５に取り付けられ、収容物５０の両側を下方から支持する。
【００２５】
側枠１５は、前方と後方で２分割され、サーバーラック２の前方部に配置される前方側枠１６と、一部が重ね合されて前方側枠１６の外側に配置される後方側枠１７と、を備える。各側枠１６、１７は、前後方向（長さ方向）に互いに摺動可能であって、側枠１５の長さを支柱５の前後間の長さに合わせて調整することが可能である。
【００２６】
図２〜図４に示すように、各側枠１５の底壁１５ｃは、平板状の部材が折り曲げられて階段状に形成され、前方側枠１６の内側には段差１５ｆを有して平坦部１５ｄが形成され、その平坦部１５ｄによって収納物５０が下方から支持される。そして、収容物５０は、この側枠１５と平坦部１５ｄによって前後方向に摺動可能にガイドされる。
【００２７】
また、左側の前方側枠１６の底壁１５ｃの先端部には、一例として上方に折り曲げられて起立する起立片１５ｅが形成され、段差１５ｆの高さはその起立片１５ｅとほぼ同じ高さに設計される。
【００２８】
また、側枠１５は、側枠１５の前端部と後端部が外側へと折り曲げられ、適当な箇所に孔部１８ａが形成された係止片１８を備え、図２及び図３に示すように、この係止片１８の孔部１８ａは、所定の固定具１１によって支柱５に形成された孔部５ａと共締めされ、支柱５に側枠１５が固定される。
【００２９】
また、前方側枠１６は、側壁１５ａの後端部が内側へと折り曲げられた突起片１９（第２の規制体）を備え、この突起片１９は収容物５０の一部と係合され、収容物５０の後方への移動が規制される。なお、本実施形態では、この突起片１９を後述する天板６１の部材６１ａの後端に接触させることで後方への移動を規制している。また、この突起片１９は、収容物５０の大きさ等によって適宜変更されるものであって、収容体１０の一部に適宜形成されるものであって、突起片１９の位置が前方側枠１６の後端部に限定されるものではない。
【００３０】
また、図２及び図５に示すように、前方側枠１６の前端部には、収容物５０の前方への移動を規制する規制体２１が設けられており、この規制体２１は、一端が前方側枠１６に有する起立片１５ｅに軸支されてサーバーラック２の前方開口面に沿って回動自在に設けられている。
【００３１】
規制体２１は、図５に示すように、収容物５０の一部に接触可能な平坦状の部材２１ａ（本願の基体）を備え、この部材２１ａの一端が、底壁１５ｃに有する起立片１５ｅに回転可能に軸支されている。
【００３２】
また、図５に示すように、規制体２１の回転軌跡に一致する側壁１５ａの部分は規制体２１を挿入可能な縦長の貫通孔２３が形成されている。規制体２１は、一部が前方に折り曲げられた係止片２１ｂを有し、この係止片２１ｂは、貫通孔２３に規制体２１が挿入された際に側壁１５ａによって係止され、規制体２１の回動範囲を規制する。
【００３３】
このように規制体２１は、図５（ａ）の起立位置と図５（ｂ）の傾倒位置との間で回転可能であって、本実施形態では、軸支された回動中心軸を回転中心として、９０度変位する。
【００３４】
また、規制体２１は、図５（ａ）に示す起立位置にあるとき、支柱５の内側に沿って縦方向に位置されて起立姿勢に保持され、サーバーラック２の正面側の開口７を開放しており、収納物５０を出し入れ可能としている。
【００３５】
一方、規制体２１は、図５（ａ）に示す起立位置から図５（ｂ）に示す傾倒位置に移動すると、サーバーラック２の正面側の開口７の内側に向けて９０度回動変位して横方向に位置されて傾倒姿勢に保持され、これによって開口７の一部を遮断して収納物５０の前方への移動を規制し、振動等による収納物５０のずれや落下を未然に防止するようになっている。なお、本実施形態では、この規制体２１を後述する天板６１の部材６１ａの前端に接触させることで前方への移動を規制している。
【００３６】
このように本実施形態の収容体１０は、一対の側枠１５、１５によって囲まれた空間部を有し、側枠１５の底壁１５ｃによって収納物５０をこの空間部に保持可能であるとともに、収納物５０を前後方向に移動（ガイド）可能であり、収納物５０を前方からこの空間部に挿入することで収納物５０をサーバーラック２内に収容可能であるとともに、引き出すことによって収納物５０をサーバラック２の外部に取り出すことが可能である。
【００３７】
なお、空間部の上を閉塞する天板を設けてもよいが、特に必須の構成ではなく、省略して構わない。また、一対の側枠１５の底壁１５ｃを接続することで一体的に形成しても構わない。
【００３８】
また、この側枠１５には、サーバラック２の開口面に沿って回動自在に設けられた規制体２１を備え、この規制体２１は、開口７を開放する起立位置（本願の第２の位置）と、開口７の一部を遮断する傾倒位置（本願の第１の位置）と、の間で移動可能である。
【００３９】
そして、規制体２１を傾倒位置に配置することで、収納物５０と接触させ移動が規制される一方で、規制体２１を起立位置に配置することで、収納物５０との接触を回避させ、収納物５０を前方へと引き出しサーバラック２の外部に取り出すことが可能である。
【００４０】
以上に説明したように、収容体１０をサーバーラック２に取り付けることで、収納物５０をまとまりよくサーバーラック２に収容することが可能である。また、地震等の振動等における収納物５０のずれや前方への飛び出し（落下等）を容易に防止できる。
【００４１】
次に、収容体１０に収容される収容物５０としての折畳みテーブル６０について説明する。以下の説明において、折畳みテーブル６０を展開した（開いた）状態とは、天板６１を水平状態に保ち、使用者がコンピュータ等を載置して使用可能な状態（図７（ｃ）参照）を言い、折畳みテーブル６０を収納した（閉じた）状態とは、天板６１が２つに分割されて折り畳まれた状態（図７（ａ）参照）を言うものとする。
【００４２】
本実施形態の折畳みテーブル６０は、例えば、アルミニウムやＳＵＳ等の金属材料により形成され、図６に示すように、利用者がコンピュータ等を載置して使用するための平板状の天板６１と、この天板６１を支持する支持脚７０と、を備えている。この折畳みテーブル６０は、図７に示すように、折畳みテーブル６０を側面視で平坦状に折り畳んだ状態から展開して天板を水平状態に保持することが可能である。
【００４３】
天板６１は、図７に示すように、２つに分割され並べて配置される２枚の板状の部材６１ａ、６１ａをピン６３を介して夫々が同一方向に折り曲げ自在に結合され、天板６１の裏面側に折畳み可能に構成される。
【００４４】
支持脚７０は、側面視で略山型状に配置される２本の脚フレーム７１、７１を備える。脚フレーム７１、７１は、図６に示すように、平行に配置される前後一対のフレーム７２、７２と、このフレーム７２、７２間に架け渡される連結フレーム７３と、を備える。本実施形態の連結フレーム７３は所定の間隔を有して上下に２つ配置されているが、その大きさやフレームの材質等によって１つ若しくはさらに多くの数でも構わない。
【００４５】
また、夫々の脚フレーム７１は、各フレーム７２の上端部が天板６１の各部材６１ａの連結側の端部にピン結合されて回転可能に連結される。
【００４６】
また、天板６１と支持脚７０はリンク機構８０によって連結され、このリンク機構８０によって、テーブル６０を展開した状態において天板６１の各部材６１ａ、６１ａが水平状態に保たれるとともに、各脚フレーム７１、７１の開き角度が規定され、天板６１が安定的に保持される。
【００４７】
リンク機構８０は、天板の左右の部材６１ａ、６１ａに取り付けられる第１及び第２のリンク８１、８１と、第１及び第２のリンク８１とピン８２により結合される中央リンク８３と、を備える。
【００４８】
中央リンク８３は、２つのリンク８４、８４がピン結合され、各リンク８４、８４の略中央部が脚フレーム７１とピン８６により各リンク８４、８４の両側が回動可能に結合され、このピン８６による中央リンク８３との結合位置により脚フレーム７１の開き角度が規定される。
【００４９】
また、第１及び第２のリンク８１は断面が略Ｌ字状に形成され、中央リンク８３の回転範囲を規制する規制体８７が設けられている。具体的には、テーブル６０を展開する過程において、第１又は第２のリンク８１、８１に対して中央リンクの各リンク８４、８４が所定の方向に回転し、各リンク８４、８４と第１又は第２のリンク８１、８１がほぼ直線状に配置された際に当該規制体８７が中央リンク８３の各リンク８４、８４と接触し各リンク８４、８４のそれ以上の回転が規制される。
【００５０】
なお、本実施形態では、規制体８７を第１及び第２のリンク８１に設けているが、中央リンクの各リンク８４、８４に設けても構わない。
【００５１】
すなわち、天板６１の各部材６１ａを開いた状態において、中央リンク８３と第１又は第２のリンク８１がほぼ直線状に配置され、その位置で規制体８７により回転が規制されて固定される。この時、各リンク８１と天板６１と脚フレーム７１とでトラス状に形成されるため、安定的に天板６１が保持される。
【００５２】
ここで、図７を用いて、折畳みテーブル６０の折り畳み動作について説明する。図７（ｃ）に示す展開状態では、天板６１の２つの部材６１ａ、６１ａが水平状態に支持脚７０によって支持され、脚フレーム７１の下端が開いた状態にある。そして、この状態から、中央リンク８３と第１又は第２のリンク８１、８１の２つの連結部を上方に持ち上げると、図７（ｂ）に示すように、各連結部が曲折し、各リンク８１、８４が折り畳まれて天板６１の２つの部材６１ａ、６１ａが下方へと移動するとともに、中央リンク８３の２つのリンク８１、８１が折り畳まれて２つの脚フレーム７１、７１が徐々に近接し閉脚しようとする。
【００５３】
さらに、天板６１を折り畳むと、閉脚動作が更に進み、図７（ａ）に示すように、各部材６１ａと脚フレーム７１とが完全に重なり、折畳み動作は終了する。逆の手順で、折畳みテーブル６０が閉じた状態から、天板６１の各部材６１ａを上方へと引き上げるとともに、脚フレーム７１の下方を左右に広げると、折畳みテーブル６０は展開される。
【００５４】
このように構成された折畳みテーブル６０は、折り畳まれた状態において、全体が略平坦状に形成される。よって、狭い隙間にすっきりと収めることができ、見栄えがよい。また、載置面に対して天板６１の面が接触するように配置することで、スライド移動しやすくなっている。
【００５５】
なお、本願は本実施形態に限定されるものではなく、種々の形態にて実施することが可能である。例えば、本実施形態では、家具の一例として、折畳み式のテーブルを説明したが、折畳み式の椅子であっても構わない。この場合、ほぼ平坦状に折り畳まれる必要がある。また、本実施形態では、規制体２１は、収容体に設けられているが、収容体と家具に部材を設け、２つの部材が協働することで収容体内に家具が固定されても構わない。また、折畳み式のテーブルは、平坦状に折り畳まれればよく、特に本実施形態に限定されるものではなく、一般的に公知な折畳み式のテーブルを用いることができる。
【符号の説明】
【００５６】
２  サーバーラック
１０  収容体
１５  側枠
１５ａ  側壁
１５ｄ  平坦部
１９  突起体
２１  規制体
５０  収納物
６０  折畳みテーブル
【図１】
2018006632.tif 000003
【図２】
2018006632.tif 000004
【図３】
2018006632.tif 000005
【図４】
2018006632.tif 000006
【図５】
2018006632.tif 000007
【図６】
2018006632.tif 000008
【図７】
2018006632.tif 000009